(57)【特許請求の範囲】
【請求項１】
ディスプレイ装置の初期設定方法において：
前記ディスプレイ装置のモニタに電源が印加されると，マイクロコンピュータ動作のための最小限回路に電源を印加するオフモードになる第１工程と；
前記オフモードで，前記モニタを動作させるための動作モードデータが貯蔵されているメモリから，前記動作モードデータとともに貯蔵されており，前記動作モードデータの貯蔵状態を表示するデータであって，前記動作モードデータが損傷されたか否かを判断するための固有認識情報を読み出す第２工程と；
前記オフモードで，前記マイクロコンピュータに貯蔵されて前記ディスプレイ装置が正常に動作するための前記動作モードデータの貯蔵状態を定義する比較用認識情報と前記固有認識情報とを比較し，その比較結果に従って前記ディスプレイ装置の動作を制御する第３工程と；
を含み，
前記メモリの前記固有認識情報と前記マイクロコンピュータの前記比較用認識情報とが一致しない場合，外部から入力されるデータに従って前記メモリに貯蔵された前記動作モードデータ及び前記固有認識情報を更新し，前記比較用認識情報と前記更新した固有認識情報とが一致するまで更新及び比較を繰り返すことを特徴とする，ディスプレイ装置の初期設定方法。
【請求項２】
前記第３工程は，
前記メモリの前記固有認識情報と前記マイクロコンピュータの前記比較用認識情報とが一致する場合，前記マイクロコンピュータは回路の各部分にランモードに対応する電源を印加し，前記メモリに貯蔵された前記動作モードデータに従って前記ディスプレイ装置の動作をランモードに転換する工程を含むことを特徴とする，請求項１に記載のディスプレイ装置の初期設定方法。
【請求項３】
前記第３工程は，
前記メモリの前記固有認識情報と前記マイクロコンピュータの前記比較用認識情報とが一致しない場合，前記マイクロコンピュータは前記メモリの前記動作モードデータが損傷されてエラーが発生したと判断して，前記オフモードを維持しながらエラーを外部に表示する工程を含むことを特徴とする，請求項１または２に記載のディスプレイ装置の初期設定方法。
【請求項４】
ディスプレイ装置の初期設定システムにおいて，
外部から入力される前記ディスプレイ装置のモニタを動作させるための動作モードデータと前記動作モードデータとともに貯蔵されており，前記動作モードデータの貯蔵状態を表示するデータであって，前記動作モードデータが損傷されたか否かを判断するための固有認識情報とが貯蔵されたメモリと；
前記ディスプレイ装置が正常に動作するための前記動作モードデータの貯蔵状態を定義する比較用認識情報を有し，前記ディスプレイ装置のモニタに電源が印加されると，マイクロコンピュータ動作のための最小限回路に電源を印加するオフモードになり，前記オフモードで前記比較用認識情報と前記メモリの前記固有認識情報とを相互比較し，その比較結果に従って前記ディスプレイ装置の動作を制御するマイクロコンピュータと；
を含み，
前記マイクロコンピュータは，前記メモリの前記固有認識情報と前記マイクロコンピュータの比較用認識情報とが一致しない場合，外部から入力されるデータに従って前記メモリに貯蔵された前記動作モードデータ及び前記固有認識情報を更新し，前記比較用認識情報と前記更新した固有認識情報とが一致するまで更新及び比較を繰り返すことを特徴とするディスプレイ装置の初期設定システム。
【請求項５】
前記マイクロコンピュータは，前記メモリの前記固有認識情報と前記比較用認識情報とが相互一致する場合，回路の各部分にランモードに対応する電源を印加し，前記メモリに貯蔵された前記動作モードデータに従って前記ディスプレイ装置の動作をランモードに転換することを特徴とする請求項４に記載のディスプレイ装置の初期設定システム。
【請求項６】
前記マイクロコンピュータは，前記メモリの前記固有認識情報と前記比較用認識情報とが相互一致しない場合，前記メモリの前記動作モードデータが損傷されてエラーが発生したと判断して，前記オフモードを維持しながらエラーを外部に表示することを特徴とする，請求項４または５に記載のディスプレイ装置の初期設定システム。
【発明の詳細な説明】
【０００１】
【発明の属する技術分野】
本発明は，動作モードデータの損傷により，ディスプレイ装置の主要回路が破損することを防止するためのディスプレイ装置の初期設定（Ｄａｔａ Ｓｅｔ−Ｕｐ）方法及び初期設定システムに関する。
【０００２】
【従来の技術】
一般に，ディスプレイ装置は，同じ生産ラインで製造された同じモデルであっても，部品特性差及びＣＲＴ（Ｃａｔｈｏｄ Ｒａｙ Ｔｕｂｅ）特性等の様々な原因によって，それぞれに画面の特性が異なることがある。そのため，生産段階にて各ディスプレイ装置毎に，画面を調整する過程を経る。画面調整は，それぞれのビデオ周波数の特性に合うように，画面のサイズ，ホワイトバランス（Ｗｈｉｔｅ Ｂａｌａｎｃｅ），サイドピンクッション（Ｓｉｄｅ Ｐｉｎ−Ｃｕｓｈｉｏｎ）等について行い，その調整過程で得られた最適の動作モードデータをＥＥＰＲＯＭ(Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ) に貯蔵する。従って，モニタに電源が印加されると，ディスプレイ装置はＥＥＰＲＯＭに貯蔵された動作モードデータに従って駆動される。
【０００３】
【発明が解決しようとする課題】
ところで，生産過程において，データ貯蔵のための電源印加時に，ＥＥＰＲＯＭに何のデータもなかったり，不都合なデータが貯蔵されていたりすることがある。また、ユーザがディスプレイ装置を使用する時に，動作モードデータが損傷していることもある。このような状態で，ディスプレイ装置に電源が印加されると，ディスプレイ装置の制御回路が誤動作をして主要回路が破損する問題があった。
【０００４】
本発明は，従来のディスプレイ装置の初期設定方法が有する上記問題点に鑑みてなされたものであり，本発明の目的は，動作モードデータが損傷されてディスプレイ装置が誤動作をすることにより，回路の破損を防止することの可能な，新規かつ改良されたディスプレイ装置の初期設定方法及び初期設定システムを提供することである。
【０００５】
【課題を解決するための手段】
上記課題を解決するため，本発明の第１の観点によれば，ディスプレイ装置の初期設定方法において；ディスプレイ装置のモニタに電源が印加されると，マイクロコンピュータ動作のための最小限回路に電源を印加するオフモードになる第１工程と；オフモードで，モニタを動作させるための動作モードデータが貯蔵されているメモリから，動作モードデータとともに貯蔵されており，動作モードデータの貯蔵状態を表示するデータであって，動作モードデータが損傷されたか否かを判断するための固有認識情報を読み出す第２工程と；オフモードで，マイクロコンピュータに貯蔵されてディスプレイ装置が正常に動作するための動作モードデータの貯蔵状態を定義する比較用認識情報と固有認識情報とを比較し，その比較結果に従ってディスプレイ装置の動作を制御する第３工程と；を含み，メモリの固有認識情報とマイクロコンピュータの比較用認識情報とが一致しない場合，外部から入力されるデータに従ってメモリに貯蔵された動作モードデータ及び固有認識情報を更新し，比較用認識情報と更新された固有認識情報とが一致するまで更新及び比較を繰り返すことを特徴とする，ディスプレイ装置の初期設定方法が提供される。
【０００６】
ここで，メモリの固有認識情報とマイクロコンピュータの比較用認識情報とが一致する場合，マイクロコンピュータは回路の各部分にランモードに対応する電源を印加し，メモリに貯蔵された動作モードデータに従ってディスプレイ装置の動作をランモードに転換する工程をさらに含むことが好ましい。
【０００７】
一方，メモリの固有認識情報とマイクロコンピュータの比較用認識情報とが一致しない場合，マイクロコンピュータはメモリの動作モードデータが損傷されてエラーが発生したと判断して，オフモードを維持しながらエラーを外部に表示する工程を含んで，作業者及びユーザにデータの損傷を警告することが好ましい。
【０００８】
また，メモリの固有認識情報とマイクロコンピュータの比較用認識情報とが一致しない場合，外部から入力されるデータに従ってメモリに貯蔵された動作モードデータ及び固有認識情報を更新する工程を含んで，モニタを正常に駆動することができる。
【０００９】
また，メモリに動作モードデータ及び固有認識情報を更新した後，比較用認識情報と更新された固有認識情報とを比較し，その比較結果に従ってディスプレイ装置の動作を制御する工程をさらに含んで，メモリに動作モードデータが正しく貯蔵されているか否かを確認することが好ましい。
【００１０】
ここで、固有認識情報を更新し，比較用認識情報と更新された固有認識情報とを比較する段階は，それぞれの認識情報が相互一致する時まで繰り返すことにより，比較結果の正確性を高めることがさらに好ましい。
【００１１】
また，ディスプレイ装置の初期設定システムにおいて：外部から入力されるディスプレイ装置のモニタを動作させるための動作モードデータと動作モードデータとともに貯蔵されており，動作モードデータの貯蔵状態を表示するデータであって，動作モードデータが損傷されたか否かを判断するための固有認識情報とが貯蔵されたメモリと；ディスプレイ装置が正常に動作するための動作モードデータの貯蔵状態を定義する比較用認識情報を有し，ディスプレイ装置のモニタに電源が印加されると，マイクロコンピュータ動作のための最小限回路に電源を印加するオフモードになり，オフモードで比較用認識情報とメモリの固有認識情報とを相互比較し，その比較結果に従って前記ディスプレイ装置の動作を制御するマイクロコンピュータと；を含み，マイクロコンピュータは，メモリの固有認識情報とマイクロコンピュータの比較用認識情報とが一致しない場合，外部から入力されるデータに従ってメモリに貯蔵された動作モードデータ及び固有認識情報を更新し，比較用認識情報と更新した固有認識情報とが一致するまで更新及び比較を繰り返すことを特徴とするディスプレイ装置の初期設定システムが提供される。
【００１２】
【発明の実施の形態】
以下に添付図面を参照しながら，本発明にかかるディスプレイ装置の初期設定方法及び初期設定システムの好適な実施の形態について詳細に説明する。なお，本明細書及び図面において，実質的に同一の機能構成を有する構成要素については，同一の符号を付することにより重複説明を省略する。
【００１３】
図１は，本実施の形態にかかるディスプレイ装置の初期設定システムの制御ブロック図である。図示したように，本実施の形態にかかるディスプレイ装置の初期設定システムは，モニタ１と，モニタ１が動作するための動作モードデータを提供する外部入力手段９と，モニタ１の全ての作動を制御するマイクロコンピュータ３と，動作モードデータが貯蔵されるＥＥＰＲＯＭ７とを含んでいる。
【００１４】
外部入力手段９は，マイクロコンピュータ３に連結されて直接にデータを提供するジグ（Ｊｉｇ）等を含む。本実施の形態で例示する外部入力手段９は，マイクロコンピュータ３にデータを提供することができ，マイクロコンピュータ３で発生する信号を外部に出力することもできるＤＤＣ（Ｄｉｓｐｌａｙ Ｄａｔａ Ｃｈａｎｎｅｌ）通信ラインを使用する。従って，モニタ１のマイクロコンピュータ３は，外部入力手段９を通じてデータを伝送することができるので，作業者はマイクロコンピュータ３及びモニタ１の状態を正確に把握することができる。作業者は外部入力手段９を通じてモニタ１の動作モードデータを入力する。動作モードデータとしては，モニタ１の特性に合うように，画面サイズ，位置，ホワイトバランス，サイドピンクッション等の画面設定データが含まれる。
【００１５】
ＥＥＰＲＯＭ７は，読み書き可能なメモリとして，モニタ１を全般的に制御するための動作モードデータが貯蔵され，マイクロコンピュータ３は，ＥＥＰＲＯＭ７の動作モードデータに従ってモニタ１の動作を制御する。
【００１６】
マイクロコンピュータ３の内のメモリであるＲＯＭ（Ｒｅａｄ−Ｏｎｌｙ Ｍｅｍｏｒｙ）５は，読みだけ可能なメモリとしてマイクロコンピュータ３が動作するための基本的なデータが貯蔵されている。
【００１７】
マイクロコンピュータ３は，外部入力手段９から入力される動作モードデータと，動作モードデータが貯蔵されてから入力される固有認識情報とをＥＥＰＲＯＭ７に貯蔵する。ＥＥＰＲＯＭ７に貯蔵される固有認識情報は，動作モードデータの貯蔵状態を表示するデータとして，ＥＥＰＲＯＭ７に貯蔵された動作モードデータが損傷されかた否かを判断する標本になる。固有認識情報は、ＥＥＰＲＯＭ７の任意の貯蔵領域に４バイト（Ｂｙｔｅ）程度割り当てることが最も適当である。
【００１８】
また，マイクロコンピュータ３のＲＯＭ（Ｒｅａｄ−Ｏｎｌｙ Ｍｅｍｏｒｙ)５には，モニタ１が正常的に動作するための動作モードデータの貯蔵状態を示す比較用認識情報が貯蔵されている。
【００１９】
マイクロコンピュータ３は，回路の各部分に供給される駆動電源を制御する。モニタ１に電源が印加されば，マイクロコンピュータ３は、まずマイクロコンピュータ３が動作するために必要な最小限の回路部分だけに，駆動電源が印加されるようにするオフモードなる。オフモードで，マイクロコンピュータ３はＥＥＰＲＯＭ７に貯蔵された固有認識情報とＲＯＭ５に貯蔵された比較用認識情報が一致するか否かを判断し、それぞれの認識情報が一致する場合だけに，回路の各部分に電源が供給されるようにする。従って、モニタ１は動作モードデータに従って正常的に駆動されるランモード（Ｒｕｎ−Ｍｏｄｅ）に転換される。
【００２０】
ここで，オフモード及びランモードは，ＤＰＭＳ（Ｄｉｓｐｌａｙ Ｐｏｗｅｒ Ｍａｎａｇｅｍｅｎｔ Ｓｔａｎｄａｒｄ）のオフモード及びランモードに当該する。オフモードの場合，正常動作状態に転換するための最小限の回路部分を除いた他の部分への電源は遮断される。即ち，マイクロコンピュータ３及びマイクロコンピュータが駆動するための最小限の回路部分だけに駆動電源が印加される状態である。ランモードは，モニタ１の全ての機能が正常に動作する状態を意味する。
【００２１】
一方，固有認識情報と比較用認識情報とが一致しない場合，マイクロコンピュータ３は，ＥＥＰＲＯＭ７の動作モードデータが損傷されたと判断して，外部にエラーの警告を表示し，外部入力手段９が連結されているか否かを感知する。外部入力手段９が連結されている場合には，外部から入力される動作モードデータをＥＥＰＲＯＭ７に再び貯蔵し，外部入力手段９が連結されていない場合には，続いてエラーの警告を表示する。マイクロコンピュータ３は，エラーが解決される時まで，オフモードを維持する。
【００２２】
図２は，本実施の形態にかかるディスプレイ装置の初期設定システムを生産工程に適用した場合，制御の流れを示したものである。モニタ１に電源が連結されば（ステップＳ１０），まずマイクロコンピュータ３に５Ｖの動作電源が印加される。マイクロコンピュータ３は，回路の各部分に供給される電源を制御して，オフモードなる（ステップＳ２０）。このようなオフモードで，マイクロコンピュータ３は外部入力手段９を通じて提供される動作モードデータをＥＥＰＲＯＭ７に貯蔵する（ステップＳ３２）。動作モードデータが貯蔵された後，外部入力手段９から固有認識情報が伝われ，マイクロコンピュータ３は入力された固有認識情報をＥＥＰＲＯＭ７に貯蔵する（ステップＳ３４）。
【００２３】
マイクロコンピュータ３は，モニタ１が正常に動作するための動作モードデータの貯蔵状態を示す比較用認識情報とＥＥＰＲＯＭ７の固有認識情報とが一致するか否かを判断する（ステップＳ４０）。この時、それぞれの認識情報が相互一致すると判断されれば，マイクロコンピュータ３はモニタ１の回路の各部分に電源が印加されるようにして，モニタ１が正常に動作するランモードに転換されるようにする（ステップＳ６０）。
【００２４】
ステップＳ４０で固有認識情報と比較用認識情報とが一致しないと判断されれば、ＥＥＰＲＯＭ７の動作モードデータが損傷された状態であるので，オフモードを維持しながらステップＳ５０（ステップＳ５２〜ステップＳ５８）を行う。また，固有認識情報と比較用認識情報とが一致しないと判断されれば，マイクロコンピュータ３はＥＥＰＲＯＭ７の動作モードデータが損傷されたエラー状態と判断して外部にエラーを警告する。（ステップＳ５２）。エラーを警告する方法としては，ＬＥＤ（Ｌｉｇｈｔ Ｅｍｉｔｔｉｎｇ Ｄｉｏｄｅ）またはサウンド等を利用することができる。
【００２５】
エラーを警告すると共に，マイクロコンピュータ３は外部入力手段９が連結されているか否かを確認する（ステップＳ５４）。外部入力手段９が連結されていなければ，マイクロコンピュータ３は続いてオフモードを維持しながらエラーを警告する。
【００２６】
外部入力手段９が連結されていると確認されれば，マイクロコンピュータ３は外部から入力される動作モードデータをＥＥＰＲＯＭ７に貯蔵し（ステップＳ５６），動作モードデータの貯蔵が完了されれば，マイクロコンピュータ３は外部入力手段９を通じて入力される固有認識情報をＥＥＰＲＯＭ７に貯蔵することにより先に貯蔵された固有認識情報を更新する（ステップＳ５８）。固有認識情報の貯蔵が完了されれば，マイクロコンピュータ３はステップＳ４０に戻って比較用認識情報と更新された固有認識情報とを比較し，その比較結果に従ってモニタ１の動作を制御する。
【００２７】
また，図２は，本実施の形態にかかるディスプレイ装置の初期設定システムを生産工程に適用したことに例えたもので，電源が印加されるステップ１０で，ＥＥＰＲＯＭ７は何のデータも貯蔵されていないデフォルト状態（ＤｅｆａｕｌｔＳｔａｔｅ）である。従って，空いているＥＥＰＲＯＭ７に動作モードデータ及び固有認識情報を貯蔵する段階であるステップＳ３０（ステップＳ３２〜ステップＳ３４）が必要となる。
【００２８】
一方，本実施の形態にかかるディスプレイ装置の初期設定システムをユーザの使用に適用する場合，その制御の流れは図３の通りである。
図３に図示したように，モニタ１に電源が連結されれば，まずマイクロコンピュータ３に動作電源が印加される（ステップＳ１１０）。マイクロコンピュータ３は，回路の各部分に供給される電源を制御して，オフモードになる（ステップＳ１２０）。ユーザがモニタを使用する時にＥＥＰＲＯＭ７には予めデータが貯蔵されているので，マイクロコンピュータ３は固有認識情報と比較用認識情報とが一致するか否かを確認する（ステップＳ１３０）。それぞれの認識情報が相互一致する場合，マイクロコンピュータ３はモニタ１の回路の各部分に電源が印加されるように制御してモニタ１の初期設定動作を行うことにより，モニタ１がオフモードからランモードに転換される（ステップＳ１５０）。
【００２９】
一方，固有認識情報と比較用認識情報とが一致しない場合，マイクロコンピュータ３はＥＥＰＲＯＭ７のデータが損傷されてエラーが発生したと判断し，外部にエラーを警告し（ステップＳ１４２），外部入力手段９が連結されているか否かを確認する（ステップＳ１４４）。外部入力手段９が連結されていなければ，マイクロコンピュータ３は続いてエラーを警告し，モニタ１がオフモードを維持するようにする。
【００３０】
外部入力手段９が連結されたことが確認されれば，マイクロコンピュータ３は外部入力手段９を通じて入力される動作モードデータをＥＥＰＲＯＭ７に貯蔵し（ステップＳ１４６），動作モードデータが貯蔵されてから入力される固有認識情報をＥＥＰＲＯＭ７に貯蔵する（ステップＳ１４８）。固有認識情報及び動作モードデータの貯蔵が完了されれば，マイクロコンピュータ３はステップＳ１３０に戻って比較用認識情報と更新された固有認識情報とを比較し，その比較結果に従ってモニタ１の動作を制御する過程を繰り返す。
【００３１】
前述した実施の形態の制御の流れは，ユーザが直接にモニタ１を使用する場合に適用されることで，エラー状態でＥＥＰＲＯＭ７にデータを再貯蔵する過程であるステップＳ１４０は，製造社の支援により行われる。
【００３２】
以上のように，本実施の形態によるディスプレイ装置の初期設定システムは，モニタ１に電源が印加されれば，まずオフモードになり，ＥＥＰＲＯＭ７に貯蔵された固有認識情報とマイクロコンピュータ３内のＲＯＭ５に貯蔵された比較用認識情報とを相互比較し，それぞれの認識情報が相互一致する場合だけに，ランモードに転換されるようにして，ＥＥＰＲＯＭ７のデータが損傷されて誤動作をして回路が破損されることを防止することができる。
【００３３】
以上，添付図面を参照しながら本発明にかかるディスプレイ装置の初期設定方法及び初期設定システムの好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００３４】
【発明の効果】
以上説明したように，本発明によれば，動作モードデータが損傷されて誤動作することを防止することできるディスプレイ装置及びその制御方法が提供される。
【図面の簡単な説明】
【図１】ディスプレイ装置の初期設定システムの制御ブロック図である。
【図２】図１のディスプレイ装置の初期設定システムを生産工程に適用した場合の制御フローチャートである。
【図３】ディスプレイ装置の初期設定システムをユーザの使用過程に適用した場合の制御フローチャートである。
【符号の説明】
１  モニタ
３  マイクロコンピュータ
５  ＲＯＭ
７  ＥＥＰＲＯＭ
９  外部入力手段
【図１】
0003803273.tif 000002
【図２】
0003803273.tif 000003
【図３】
0003803273.tif 000004